【手続補正書】
【提出日】令和2年11月5日(2020.11.5)
【手続補正１】
【補正対象書類名】明細書
【補正対象項目名】００９３
【補正方法】変更
【補正の内容】
【００９３】
本開示は、単独で又は一緒に使用できる多数の新規の、有用なかつ自明ではない特徴及び／又は特徴の組合せについて説明する。本明細書において説明する実施形態は、全て代表的なものであり、本発明の範囲を限定することを意図しない。本明細書において説明する発明は、様々にかつ同等に修正し、適合化でき、これらの修正及び適合化は全て、本開示の及び請求項の範囲に含まれるものとすることは明らかであろう。
本明細書に開示される発明は以下の態様を含む。
〔態様１〕
ナビゲーション要素と所定の直径を有し遠位プローブ先端において終端となるナビゲーションプローブシャフトとを有するナビゲーションプローブと一緒に使用するための導入器システムであって、前記導入器システムが、
長手軸線に沿って延び、かつ近位導入器端部から遠位導入器端部まで延びる導入器通路を形成する側壁であって、前記側壁が、前記長手軸線と直交する側方向において前記ナビゲーションプローブシャフトの直径より大きい、側壁と、
前記遠位導入器端部に配置されたプローブレセプタクルであって、前記プローブレセプタクルが、前記導入器通路内で前記長手軸線に沿って近位レセプタクル端部から遠位レセプタクル端部まで延び、前記プローブレセプタクルが、前記近位レセプタクル端部において前記側方向に第１側方サイズと前記遠位レセプタクル端部において前記側方向に第２側方サイズとを有する内側面を有し、前記第１側方サイズが前記第２側方サイズより大きい、プローブレセプタクルと、
を備え、
前記内側面が、前記遠位プローブ先端を受け入れて前記遠位プローブ先端の前記側方向の移動を制限する構成及び寸法とされ、前記側壁が、前記遠位プローブ先端が前記プローブレセプタクルの中に位置付けられたとき前記ナビゲーションプローブシャフトが前記通路内で前記側方向に移動できるようにする構成及び寸法とされる、
導入器システム。
〔態様２〕
前記側壁が前記側方向において楕円形プロフィルを有し、かつ前記プローブレセプタクルが前記側方向において円形プロフィルを有する、態様１に記載の導入器システム。
〔態様３〕
前記側壁が前記側方向において側壁プロフィルを有し、かつ前記プローブレセプタクルが前記側壁プロフィルの幾何学的中心に配置される、態様１に記載の導入器システム。
〔態様４〕
前記内側面が、前記長手軸線に対して第１角度を有する前記近位レセプタクル端部に隣接する近位部分と、上側部分から遠位方向に配置され前記長手軸線に対して第２角度を有する中間部分とを備え、前記第２角度が前記第１角度より小さい、態様１に記載の導入器システム。
〔態様５〕
前記内側面が、更に、半球面の少なくとも一部分を形成する前記中間部分から遠位方向に配置された遠位部分を備える、態様４に記載の導入器システム。
〔態様６〕
前記プローブレセプタクルが、前記遠位レセプタクル端部を貫通して前記遠位導入器端部において前記内側面と前記側壁の外部との間に第１流体流路を形成する遠位レセプタクル開口を備える、態様１に記載の導入器システム。
〔態様７〕
前記遠位導入器端部において前記導入器通路と前記側壁の前記外部との間に第２流体流路を形成する導入器先端開口を更に備える、態様６に記載の導入器システム。
〔態様８〕
前記プローブレセプタクルの少なくとも一部分が前記側方向においてギャップによって前記側壁から離間する、態様１に記載の導入器システム。
〔態様９〕
前記プローブレセプタクルが、前記レセプタクル近位端部と前記レセプタクル遠位端部との間の場所において前記内側面と前記ギャップとの間の流体連絡路を形成する少なくとも１つの開口を備える、態様８に記載の導入器システム。
〔態様１０〕
前記遠位導入器端部において前記側壁を通過する流体流路を形成する導入器先端開口を更に備える、態様１に記載の導入器システム。
〔態様１１〕
前記プローブレセプタクルの少なくとも一部分が前記側方向においてギャップによって前記側壁から離間する、態様１０に記載の導入器システム。
〔態様１２〕
前記レセプタクル近位端部と前記レセプタクル遠位端部との間に前記プローブレセプタクルの外側壁を通過する少なくとも１つの通路を更に備え、前記少なくとも１つの通路が、前記導入器先端開口と前記ギャップとの間に流体連絡路を形成し、前記流体連絡路が、少なくとも部分的に前記近位レセプタクル端部を迂回するように構成される、態様１１に記載の導入器システム。
〔態様１３〕
前記少なくとも１つの通路が、前記プローブレセプタクルの前記外側壁を通過して延びる複数のスロットを備え、前記複数のスロットの各々が、前記長手軸線に沿って前記近位レセプタクル端部から前記遠位レセプタクル端部に隣接する前記側壁の部分まで延びる、態様１２に記載の導入器システム。
〔態様１４〕
前記内側面を通過して前記導入器先端開口まで少なくとも１つの通路を更に備える、態様１０に記載の導入器システム。
〔態様１５〕
前記少なくとも１つの通路が１つ又は複数の環状通路を含む、態様１４に記載の導入器システム。
〔態様１６〕
前記プローブレセプタクルが前記長手軸線に沿って見て前記導入器先端開口の上に重なり、前記導入器が、更に、前記近位レセプタクル端部を貫通することなく前記導入器先端開口を通過して延びる少なくとも１つの流体流路を備える、態様１０に記載の導入器システム。
〔態様１７〕
前記導入器先端開口に隣接して前記プローブレセプタクルを懸架するために前記側壁と前記プローブレセプタクルとの間に延びる１つ又は複数の支持体を更に含む、態様１６に記載の導入器システム。
〔態様１８〕
前記１つ又は複数の支持体が、前記長手軸線に沿って延びる複数のリブを備える、態様１７に記載の導入器システム。
〔態様１９〕
前記遠位レセプタクル端部が前記導入器先端開口内に配置される、態様１７に記載の導入器システム。
〔態様２０〕
前記１つ又は複数の支持体の少なくとも部分が前記導入器先端開口内に配置される、態様１９に記載の導入器システム。
〔態様２１〕
前記プローブレセプタクルが前記側方向においてレセプタクルサイズを有し、前記導入器先端開口が前記側方向において開口サイズを有し、前記レセプタクルサイズが前記開口サイズより小さい、態様１７に記載の導入器システム。
〔態様２２〕
前記プローブレセプタクルが前記側方向においてレセプタクルサイズを有し、前記導入器先端開口が前記側方向において開口サイズを有し、前記開口サイズが前記レセプタクルサイズより小さい、態様１７に記載の導入器システム。
〔態様２３〕
前記内側面が、前記遠位導入器端部に隣接して前記遠位プローブ先端を保持するように構成される、態様１に記載の導入器システム。
〔態様２４〕
前記内側面が、前記遠位プローブ先端を前記遠位導入器端部の１.０ｍｍ内に保持するように構成される、態様２３に記載の導入器システム。
〔態様２５〕
前記内側面が、少なくとも４つの異なるナビゲーションプローブを交換可能に保持するように構成され、各ナビゲーションプローブが、他のナビゲーションプローブとは異なる幾何学的形状を有する遠位プローブ先端を有し、前記プローブレセプタクルの中に完全に設置されたとき前記遠位プローブ先端の各々が前記遠位導入器端部の１.０ｍｍ内に配置される、態様１に記載の導入器システム。
〔態様２６〕
前記遠位導入器端部における前記側壁の少なくとも一部分が透明であり、前記ナビゲーションプローブが前記導入器内に設置されたとき前記近位導入器端部から見える、態様１に記載の導入器システム。
〔態様２７〕
前記近位導入器端部に選択的に接続するように構成されたプローブリテーナを更に備え、前記プローブリテーナが、前記プローブリテーナが前記近位導入器端部に取り付けられたとき前記ナビゲーションプローブシャフトを受け入れて、それによって、前記ナビゲーションプローブシャフトの前記側方向の移動を限定するように構成されたレシーバを備える、態様１に記載の導入器システム。
〔態様２８〕
ナビゲーション要素と所定の直径を有し遠位プローブ先端において終端となるナビゲーションプローブシャフトとを有するナビゲーションプローブと一緒に使用するための導入器システムであって、前記導入器システムが、
導入器であって、
長手軸線に沿って延びかつ近位導入器端部から遠位導入器端部まで延びる導入器通路を形成する側壁であって、前記側壁が、前記長手軸線と直交する側方向において前記ナビゲーションプローブシャフトの直径より大きい、側壁と、
前記遠位導入器端部に配置されるプローブレセプタクルであって、前記プローブレセプタクルが前記導入器通路内で前記長手軸線に沿って近位レセプタクル端部から遠位レセプタクル端部まで延び、前記プローブレセプタクルが、前記近位レセプタクル端部において前記側方向に第１側方サイズと前記遠位レセプタクル端部において前記側方向に第２側方サイズとを有する内側面を有し、前記第１側方サイズが前記第２側方サイズより大きい、プローブレセプタクルと、
を有する導入器と、
前記近位導入器端部に選択的に接続するように構成されたプローブリテーナであって、前記プローブリテーナが、前記ナビゲーションプローブシャフトを受け入れて前記ナビゲーションプローブシャフトの前記側方向の移動を限定するように構成されたレシーバを備える、プローブリテーナと、
を備える、導入器システム。
〔態様２９〕
前記プローブリテーナが、前記レシーバに接続されかつ前記近位導入器端部に選択的に接続するように構成された１つ又は複数のクランプを備える、態様２８に記載の導入器システム。
〔態様３０〕
前記１つ又は複数のクランプが２つのクランプを含み、各クランプが、クランプアームを貫通するアーム開口を有するクランプアームによって前記レシーバに接続され、各アーム開口が、前記導入器通路の中への視覚経路を与えるために前記導入器通路と整列する、態様２９に記載の導入器システム。
〔態様３１〕
前記レシーバが、前記ナビゲーションプローブシャフトを選択的に保持するためのロックを備える、態様２８に記載の導入器システム。
〔態様３２〕
ナビゲーション要素と所定の直径を有し遠位プローブ先端において終端となるナビゲーションプローブシャフトとを有するナビゲーションプローブと一緒に使用するための導入器システムであって、前記導入器システムが、
長手軸線に沿って延びかつ近位導入器端部から遠位導入器端部まで延びる導入器通路を形成する側壁を有する導入器であって、前記導入器通路が、前記長手軸線と直交する側方向において前記ナビゲーションプローブシャフトの直径より大きい、導入器と、
前記近位導入器端部に選択的に接続するように構成されたプローブリテーナであって、前記プローブリテーナが、
前記ナビゲーションプローブシャフトを受け入れて前記ナビゲーションプローブシャフトの前記側方向の移動を限定するように構成されたレシーバと、
第１クランプ及び第２クランプであって、前記第１クランプ及び前記第２クランプが前記レシーバに接続され、前記レシーバが前記第１クランプと前記第２クランプとの間に配置され、前記第１クランプ及び前記第２クランプの各々が、前記レシーバを前記導入器に対して固定場所に保持するために前記側壁のそれぞれの部分と選択的に係合可能である、第１クランプ及び第２クランプと、
を備え、
前記レシーバ、前記第１クランプ及び第２クランプが、前記プローブリテーナを通過して前記導入器通路の中まで視覚経路を与えるように構成される、
プローブリテーナと、
を備える、導入器システム。
〔態様３３〕
前記第１クランプおよび第２クランプの各々が、それぞれのクランプアームによって前記レシーバに接続され、各クランプアームがこれを貫通する開口を有し、前記開口が、前記プローブリテーナを通過する前記視覚経路のそれぞれの部分を形成するために前記導入器通路と整列される、態様３２に記載の導入器システム。
〔態様３４〕
前記第１クランプ及び前記第２クランプの各々が、それぞれのクランプアームによって前記レシーバに接続され、前記クランプアームから第１方向に延びるタブと前記クランプアームから第２方向に延びるフックとを備え、前記第２方向が概ね前記第１方向の反対方向である、態様３２に記載の導入器システム。
〔態様３５〕
前記第１クランプ及び前記第２クランプが、それぞれの可撓性接続部によって前記レシーバに接続され、各可撓性接続部が、それぞれのタブを前記レシーバへ向かって移動させかつそれぞれのフックを前記レシーバから離して移動させることによって、それぞれのフックを前記側壁との係合から解除できるように移動可能である、態様３４に記載の導入器システム。
〔態様３６〕
前記可撓性接続部が屈曲可能なクランプアームを含む、態様３５に記載の導入器システム。
〔態様３７〕
前記側壁が、前記近位導入器端部において１つ又は複数の外向きに延びるリップを備え、前記１つ又は複数の外向きに延びるリップが、前記第１クランプのそれぞれのフックと係合するように位置付けられた第１部分と、前記第２クランプのそれぞれのフックと係合するように位置付けられた第２部分とを有する、態様３４に記載の導入器システム。
〔態様３８〕
前記レシーバが、前記長手軸線に沿った移動に対抗して前記ナビゲーションプローブシャフトを選択的に保持するためのロックを備える、態様３２に記載の導入器システム。
〔態様３９〕
前記ロックが、
第１テーパー状面を持つ内側通路を有する第１ネジ切り部材と、
前記第１テーパー状面内に嵌る第２テーパー状面を有する外側ボディと前記ナビゲーションプローブシャフトを受け入れる寸法にされた内側チャンネルとを有する第２ネジ切り部材と、
を備え、
前記第１ネジ切り部材と前記第２ネジ切り部材との間の相対的回転が、前記第１テーパー状面を前記第２テーパー状面へ向かって移動させて、前記内側チャンネルを圧縮して前記ナビゲーションプローブシャフトを保持する、
態様３８に記載の導入器システム。
〔態様４０〕
前記第２テーパー状面が、前記長手方向に沿って延びる１つ又は複数のスロットを備える、態様３９に記載の導入器システム。
〔態様４１〕
前記第１ネジ切り部材が、前記第１クランプ及び前記第２クランプと一緒に移動するように接続された中空通路を備え、前記第２ネジ切り部材が、前記第２テーパー状面に接続されたノブ部分を備える、態様３９に記載の導入器システム。
〔態様４２〕
前記プローブリテーナが、前記第２ネジ切り部材が前記第１ネジ切り部材から分離するのを防止するために前記第２ネジ切り部材上のリップに係合するように位置付けられた１つ又は複数のフックを備える、態様４１に記載の導入器システム。
〔態様４３〕
前記第２ネジ切り部材が、前記第１クランプ及び前記第２クランプと一緒に移動するように接続され、前記第１ネジ切り部材が前記第１テーパー状面に接続されたノブ部分を備える、態様３９に記載の導入器システム。
〔態様４４〕
前記プローブリテーナが、前記第１ネジ切り部材が前記第２ネジ切り部材から分離するのを防止するために前記第１ネジ切り部材上のリップに係合するように位置付けられた１つ又は複数のフックを備える、態様４１に記載の導入器システム。
〔態様４５〕
前記レシーバが、前記近位導入器端部に相対的に近接して配置された近位レシーバ通路端部から前記遠位導入器端部に相対的に近接して配置された遠位レシーバ通路端部まで前記長手軸線に沿って延びるレシーバ通路を備え、前記レシーバが、前記遠位レシーバ通路端部において前記長手軸線に沿って１つ又は複数のスロットを備える、態様３２に記載の導入器システム。
〔態様４６〕
前記レシーバ通路の内径が、前記遠位レシーバ通路端部における小さい方のサイズへテーパー状になる、態様４５に記載の導入器システム。
〔態様４７〕
前記導入器が、前記遠位導入器端部に配置されたプローブレセプタクルを備え、前記プローブレセプタクルが、前記導入器通路内で前記長手軸線に沿って近位レセプタクル端部から遠位レセプタクル端部まで延び、前記プローブレセプタクルが、前記近位レセプタクル端部において前記側方向に第１側方サイズと前記遠位レセプタクル端部において前記側方向に第２側方サイズとを有する内側面を有し、前記第１側方サイズが前記第２側方サイズより大きい、態様３２に記載の導入器システム。
〔態様４８〕
前記プローブレセプタクルが、前記遠位レセプタクル端部を貫通して前記遠位導入器端部において前記内側面と前記側壁の外部との間に第１流体流路を形成する遠位レセプタクル開口を備える、態様４７に記載の導入器システム。
〔態様４９〕
前記プローブレセプタクルの少なくとも一部分が、ギャップによって前記側方向に前記側壁から離間する、態様４６に記載の導入器システム。
〔態様５０〕
前記プローブレセプタクルが、前記レセプタクル近位端部と前記レセプタクル遠位端部との間の場所に前記内側面と前記ギャップとの間の流体連絡路を形成する少なくとも１つの開口を備える、態様４９に記載の導入器システム。
〔態様５１〕
前記遠位導入器端部において前記側壁を通過する流体流路を形成する導入器先端開口を更に備える、態様３２に記載の導入器システム。
【手続補正２】
【補正対象書類名】特許請求の範囲
【補正対象項目名】全文
【補正方法】変更
【補正の内容】
【特許請求の範囲】
【請求項１】
ナビゲーション要素と直径を有し遠位プローブ先端において終端となるナビゲーションプローブシャフトとを有するナビゲーションプローブと一緒に使用するための導入器システムであって、前記導入器システムが、
長手軸線に沿って延び、かつ近位導入器端部から遠位導入器端部まで延びる導入器通路を形成する側壁であって、前記側壁が、前記長手軸線と直交する側方向において前記ナビゲーションプローブシャフトの直径より大きい、側壁と、
前記遠位導入器端部に配置されたプローブレセプタクルであって、前記プローブレセプタクルが、前記導入器通路内で前記長手軸線に沿って近位レセプタクル端部から遠位レセプタクル端部まで延び、前記プローブレセプタクルが、前記近位レセプタクル端部において前記側方向に第１側方サイズと前記遠位レセプタクル端部において前記側方向に第２側方サイズとを有する内側面を有し、前記第１側方サイズが前記第２側方サイズより大きい、プローブレセプタクルと、
を備え、
前記内側面が、前記遠位プローブ先端を受け入れて前記遠位プローブ先端の前記側方向の移動を制限する構成及び寸法とされ、前記側壁が、前記遠位プローブ先端が前記プローブレセプタクルの中に位置付けられたとき前記ナビゲーションプローブシャフトが前記導入器通路内で前記側方向に移動できるようにする構成及び寸法とされる、
導入器システム。
【請求項２】
前記側壁が前記側方向において楕円形プロフィルを有し、かつ前記プローブレセプタクルが前記側方向において円形プロフィルを有する、請求項１に記載の導入器システム。
【請求項３】
前記内側面が、前記長手軸線に対して第１角度を有する前記近位レセプタクル端部に隣接する近位部分と、上側部分から遠位方向に配置され前記長手軸線に対して第２角度を有する中間部分とを備え、前記第２角度が前記第１角度より小さい、請求項１に記載の導入器システム。
【請求項４】
前記プローブレセプタクルの少なくとも一部分が前記側方向においてギャップによって前記側壁から離間し、
前記導入器システムが、前記遠位導入器端部において前記側壁を通過する流体流路を形成する導入器先端開口と、前記近位レセプタクル端部と前記遠位レセプタクル端部との間に前記プローブレセプタクルの外側壁を通過する少なくとも１つの通路とを更に備え、前記少なくとも１つの通路が、前記導入器先端開口と前記ギャップとの間に流体連絡路を形成する、
請求項１に記載の導入器システム。
【請求項５】
前記少なくとも１つの通路が、前記プローブレセプタクルの前記外側壁を通過して延びる複数のスロットを備え、前記複数のスロットの各々が、前記長手軸線に沿って前記近位レセプタクル端部から前記遠位レセプタクル端部に隣接して配置された前記側壁の部分まで延びる、請求項４に記載の導入器システム。
【請求項６】
前記プローブレセプタクルが前記長手軸線に沿って見て前記導入器先端開口の上に重なり、導入器が、更に、前記近位レセプタクル端部を貫通することなく前記導入器先端開口を通過して延びる少なくとも１つの流体流路を備える、請求項４に記載の導入器システム。
【請求項７】
前記導入器先端開口に隣接して前記プローブレセプタクルを懸架するために前記側壁と前記プローブレセプタクルとの間に延びる１つ又は複数の支持体を更に含む、請求項６に記載の導入器システム。
【請求項８】
前記内側面が、前記遠位プローブ先端を前記遠位導入器端部の１.０ｍｍ内に保持するように構成される、請求項１に記載の導入器システム。
【請求項９】
前記遠位導入器端部における前記側壁の少なくとも一部分が透明であり、前記ナビゲーションプローブが導入器内に設置されたとき前記近位導入器端部から見える、請求項１に記載の導入器システム。
【請求項１０】
前記近位導入器端部に選択的に接続するように構成されたプローブリテーナを更に備え、前記プローブリテーナが、前記プローブリテーナが前記近位導入器端部に取り付けられたとき前記ナビゲーションプローブシャフトを受け入れて、それによって、前記ナビゲーションプローブシャフトの前記側方向の移動を限定するように構成されたレシーバを備え、前記プローブリテーナは、前記導入器システムの外側から、前記側壁の透明部分への視覚経路を提供するように構成される、請求項９に記載の導入器システム。
【請求項１１】
ナビゲーション要素と直径を有し遠位プローブ先端において終端となるナビゲーションプローブシャフトとを有するナビゲーションプローブと一緒に使用するための導入器システムであって、前記導入器システムが、
導入器であって、
長手軸線に沿って延びかつ近位導入器端部から遠位導入器端部まで延びる導入器通路を形成する側壁であって、前記側壁が、前記長手軸線と直交する側方向において前記ナビゲーションプローブシャフトの直径より大きい、側壁と、
前記遠位導入器端部に配置されるプローブレセプタクルであって、前記プローブレセプタクルが前記導入器通路内で前記長手軸線に沿って近位レセプタクル端部から遠位レセプタクル端部まで延び、前記プローブレセプタクルが、前記近位レセプタクル端部において前記側方向に第１側方サイズと前記遠位レセプタクル端部において前記側方向に第２側方サイズとを有する内側面を有し、前記第１側方サイズが前記第２側方サイズより大きい、プローブレセプタクルと、
を有する導入器と、
前記近位導入器端部に選択的に接続するように構成されたプローブリテーナであって、前記プローブリテーナが、前記ナビゲーションプローブシャフトを受け入れて前記ナビゲーションプローブシャフトの前記側方向の移動を限定するように構成されたレシーバを備える、プローブリテーナと、
を備える、導入器システム。
【請求項１２】
前記プローブリテーナが、前記レシーバに接続されかつ前記近位導入器端部に選択的に接続するように構成された１つ又は複数のクランプを備える、請求項１１に記載の導入器システム。
【請求項１３】
前記１つ又は複数のクランプが２つのクランプを含み、各クランプが、クランプアームを貫通するアーム開口を有するクランプアームによって前記レシーバに接続され、各アーム開口が、前記導入器通路の中への視覚経路を与えるために前記導入器通路と整列する、請求項１２に記載の導入器システム。
【請求項１４】
前記レシーバが、前記ナビゲーションプローブシャフトを選択的に保持するためのロックを備える、請求項１１に記載の導入器システム。
【請求項１５】
ナビゲーション要素と直径を有し遠位プローブ先端において終端となるナビゲーションプローブシャフトとを有するナビゲーションプローブと一緒に使用するための導入器システムであって、前記導入器システムが、
長手軸線に沿って延びかつ近位導入器端部から遠位導入器端部まで延びる導入器通路を形成する側壁を有する導入器であって、前記導入器通路が、前記長手軸線と直交する側方向において前記ナビゲーションプローブシャフトの直径より大きく、前記遠位導入器端部において前記側壁の少なくとも一部分が透明である、導入器と、
前記近位導入器端部に選択的に接続するように構成されたプローブリテーナであって、前記プローブリテーナが、
前記ナビゲーションプローブシャフトを受け入れて前記ナビゲーションプローブシャフトの前記側方向の移動を限定するように構成されたレシーバを備え、
前記プローブリテーナが、前記プローブリテーナを通過して前記導入器通路に入り、前記遠位導入器端部における前記側壁の透明部分への視覚経路を与えるように構成される、
プローブリテーナと、
を備える、導入器システム。
【請求項１６】
前記プローブリテーナは、第１クランプと第２クランプとさらに備え、
前記第１クランプ及び前記第２クランプが前記レシーバに接続され、前記レシーバが前記第１クランプと前記第２クランプとの間に配置され、前記第１クランプ及び前記第２クランプの各々が、前記レシーバを前記導入器に対して固定場所に保持するために前記側壁のそれぞれの部分と選択的に係合可能である、
請求項１５に記載の導入器システム。
【請求項１７】
前記第１クランプおよび第２クランプの各々が、それぞれのクランプアームによって前記レシーバに接続され、各クランプアームがこれを貫通する開口を有し、前記開口が、前記プローブリテーナを通過する前記視覚経路のそれぞれの部分を形成するために前記導入器通路と整列される、請求項１６に記載の導入器システム。
【請求項１８】
前記レシーバが、前記長手軸線に沿った移動に対抗して前記ナビゲーションプローブシャフトを選択的に保持するように構成されたロックを備える、請求項１５に記載の導入器システム。
【請求項１９】
前記ロックが、
第１テーパー状面を持つ内側通路を有する第１ネジ切り部材と、
前記第１テーパー状面内に嵌る第２テーパー状面を有する外側ボディと前記ナビゲーションプローブシャフトを受け入れる寸法にされた内側チャンネルとを有する第２ネジ切り部材と、
を備え、
前記第１ネジ切り部材と前記第２ネジ切り部材との間の相対的回転が、前記第１テーパー状面を前記第２テーパー状面へ向かって移動させて、前記内側チャンネルを圧縮して前記ナビゲーションプローブシャフトを保持する、
請求項１８に記載の導入器システム。
【請求項２０】
前記第２テーパー状面が、長手方向に沿って延びる１つ又は複数のスロットを備え、前記スロットは、前記ナビゲーションプローブシャフトを案内するための指を形成する、請求項１９に記載の導入器システム。
【請求項２１】
前記プローブリテーナが、前記第２ネジ切り部材が前記第１ネジ切り部材から分離するのを防止するように構成された１つ又は複数のフックを備える、請求項１９に記載の導入器システム。